(57)【要約】【課題】  閉扉したときであっても十分な採光及び通気が可能なブラインド式雨戸を提供する。【解決手段】  建物１の壁面には、窓又は扉用の開口部２が設けられており、この開口部２にはサッシ３が設置されている。また、このサッシ３のガイドレールに沿ってスライド開閉可能なように、窓戸４がサッシ３に取り付けられている。また、建物１の外壁６には、ステンレス又はアルミニウム製の雨戸用案内枠２０が固定されている。この雨戸用案内枠２０には、窓戸４を閉じるための左右一対のブラインド式雨戸１９が、窓戸４の開閉方向と略同方向に開閉可能なように嵌合されている。なお、このブラインド式雨戸１９は、例えばアルミニウム製であり、その表面には、多数の穴部１００が貫通して形成されているので、閉扉時でも十分に採光及び通気できるようになっている。【選択図】        図１
2007177417.tif 000002
【特許請求の範囲】
【請求項１】
建物の窓又は扉に取り付ける伸縮自在な雨戸であって、
前記雨戸表面には、多数の穴部を設けたことを特徴とするブラインド式雨戸。
【請求項２】
建物の窓又は扉の周囲の外壁に固定した取付用の方形枠の上辺部から、レージトングにより連絡した複数のスラットを吊設し、該取付用枠の上辺部及び下辺部に設けられた前記外壁に略平行なガイドレールに沿って開閉自在とした伸縮可能なブラインド式雨戸であって、
前記スラットの表面には、多数の採光及び通気用の穴部が形成されていることを特徴とするブラインド式雨戸。
【請求項３】
前記上辺部及び下辺部のガイドレールは、前記外壁から所定長、外側に突出した位置に設けられていることを特徴とする請求項２記載のブラインド式雨戸。
【発明の詳細な説明】
【技術分野】
【０００１】
本発明は、ブラインド式雨戸に関し、特に、屈伸リンクにより開扉又は閉扉するブラインド式雨戸に関する。
【背景技術】
【０００２】
従来の横引き雨戸では、閉扉時には、外の光を完全に遮光し、通気もできないため、採光や通気が必要なときには一旦開扉しなければならない。一方、開扉すると、採光や通気は可能となるものの、家屋等の中が外から見えてしまったり、外部から侵入しやすくなったりといったプライバシーや防犯上の問題が発生する。このようなことから、外出時には雨戸を完全に閉扉する必要があるため、採光及び通気することは非常に困難である。
【０００３】
このような問題を解決するためのものとしてブラインド式雨戸がある。
このブラインド式雨戸は、屈伸リンクにより連絡させた複数の板状のスラットを、上部及び下部のサッシに沿って移動可能なように上部のサッシから吊設したものである。その屈伸リンクをサッシに沿って伸長させると、それら複数のスラットが板の略正面を向き、雨戸が閉扉状態となる。一方、その屈伸リンクをサッシに沿って収縮させると、それら複数のスラットは、雨戸正面から所定の角度傾いて互いに平行に重なり、雨戸が閉じた状態のまま各スラット間が開口し、採光及び通気を行うことができる。
また、このブラインド式雨戸は、開扉又は閉扉するとき、雨戸全体をスライドさせずに折り畳むようにすることから、従来の横引き雨戸と比べて軽微な力で開扉又は閉扉することができるようになっている。
【０００４】
このようなブラインド式雨戸に関するものとして、特許文献１が開示するところのブラインド式雨戸が提案されている。
この特許文献１に開示されるブラインド式雨戸は、従来のブラインド式雨戸と同様に、複数のスラットが、雨戸正面から所定の角度傾いて互いに平行に重なり、雨戸が閉じた状態のまま各スラット間が開口するように構成されており、閉扉したままある程度の採光及び通気が可能となっている。また、このブラインド式雨戸は、従来のものに比べて、取付部材の軽量化や取付方法の簡易化等により家屋への取り付けが容易となっている。
【特許文献１】特開２００５−１０５５１５
【発明の開示】
【発明が解決しようとする課題】
【０００５】
しかしながら、特許文献１に開示されるブラインド式雨戸は、前述したようにある程度の採光及び通気が可能であるものの、スラットは雨戸正面に対して所定の角度に傾いているため、閉扉したときには雨戸正面に対して垂直方向からの光を取り入れたり、換気を十分に行ったりすることが困難になるという問題がある。
特に、女性の下着等の洗濯物を干すときには、外から見られたり、盗難されたりといった問題を避けるために閉扉することが多いが、閉扉すると、十分に日光が当らず通気も不十分なため、洗濯物が乾燥しにくいという問題が生じる。
【０００６】
本発明は、上記問題点に鑑みてなされたものであり、閉扉したときであっても十分な採光及び通気が可能なブラインド式雨戸を提供することを目的とする。
【課題を解決するための手段】
【０００７】
かかる目的を達成するため、本発明におけるブラインド式雨戸は、建物の窓又は扉に取り付ける伸縮自在な雨戸であって、雨戸表面には、多数の穴部を設けたことを特徴とする。
【０００８】
また、本発明は、建物の窓又は扉の周囲の外壁に固定した取付用の方形枠の上辺部から、レージトングにより連絡した複数のスラットを吊設し、該取付用枠の上辺部及び下辺部に設けられた外壁に略平行なガイドレールに沿って開閉自在とした伸縮可能なブラインド式雨戸であって、スラットの表面には、多数の採光及び通気用の穴部が形成されていることを特徴とする。
【０００９】
また、本発明における前述の上辺部及び下辺部のガイドレールは、外壁から所定長、外側に突出した位置に設けられていることを特徴とする。
【発明の効果】
【００１０】
本発明によれば、建物の窓又は扉において開閉可能なブラインド式雨戸におけるスラットの表面に、多数の採光及び通気用の穴部を形成したので、閉扉したときであっても十分な採光及び通気を確保することが可能となる。
【発明を実施するための最良の形態】
【００１１】
（ブラインド式雨戸の構成）
以下、本実施の形態におけるブラインド式雨戸について説明するが、便宜上、雨戸の外側を表面、家屋側を裏面、表面側から見て左右両端側を側面とする。
図１は、本発明の一実施の形態におけるブラインド式雨戸の開扉時の縦断面図である。また、図２は、本実施の形態における開扉時の横断面図であり、図１のＡ−Ａ線で切った断面を示している。
図に示すように、建物１の壁面には、窓又は扉用の開口部２が設けられており、この開口部２にはサッシ３が設置されている。また、このサッシ３のガイドレールに沿ってスライド開閉可能なように、窓戸４がサッシ３に取り付けられている。
また、建物１の外壁６には、ステンレス又はアルミニウム製の雨戸用案内枠２０が固定されている。この雨戸用案内枠２０には、窓戸４を閉じるための左右一対のブラインド式雨戸１９が、窓戸４の開閉方向と略同方向に開閉可能なように嵌合されている。
なお、このブラインド式雨戸１９は、例えばアルミニウム製であり、その表面には、多数の穴部１００が貫通して形成されている。
【００１２】
なお、この穴部１００は、径が１０〜２０ｍｍ程度の円形や方形等であることが好ましい。これは、この穴部１００の径を極端に大きく形成すると、採光及び通気の効果は高くなるものの、雨戸１９内の様子が外側から視認可能となり、さらには防犯面の効果も低くなってしまうからである。
また、この穴部１００の単位面積あたりの形成個数及び形成間隔は、目的、用途に応じて適宜変更可能である。
【００１３】
図３は、前述の雨戸用案内枠２０の表面側を示す図である。
図に示すように、この雨戸用案内枠２０は、開口部２に対応して四辺形状に形成されている。また、雨戸用案内枠２０は、この四辺形状の上辺部を構成する上枠２１と、下辺部を構成する下枠２２と、側辺部を構成する左右一対の縦枠２３とを有して構成されている。
以下、これら雨戸用案内枠２０の各構成部位について詳細に説明する。
【００１４】
図４は、これらの構成部位のうち、縦枠２３を側面側から見た断面図である。
図に示すように、縦枠２３は、ブラインド式雨戸１９が嵌め込まれる枠本体２４と、この枠本体２４の外周縁に一体形成された張出部２５とを有して構成されている。
この張出部２５は、外周縁に円弧状のアール部２８が形成されているとともに、枠本体２４側の表面に接着剤２９が塗布されている。この接着剤２９には、例えば、エポキシやウレタンを主成分とするものが用いられる。
【００１５】
また、図５は、下枠２２を側面側から見た断面図である。
図に示すように、下枠２２も、縦枠２３と同様に、ブラインド式雨戸１９が嵌め込まれる枠本体１２４と、この枠本体１２４の外周縁に一体形成された張出部１２５とを有して構成されている。
また、図に示すように、枠本体１２４の表面側先端には、サッシ３のガイドレールと略同方向にガイドレール３９が設けられており、このガイドレール３９には、上向きに開口するガイド穴４０が形成されている。
【００１６】
また、図４及び図５に示すように、建物１の外壁６には、弾性体２６（例えば、薄肉板状のスポンジ材やゴム材などのクッション材）が取り付けられており、さらにこの弾性体２６の表面側に、下枠２２及び両縦枠２３の張出部２５が固定具２７（例えばねじ・釘など）により、貫通孔１７を介して外壁６に固定される。
【００１７】
また、図６は、前述の上枠２１を側面側から見た断面図である。
図に示すように、この上枠２１は、前述の下枠２２及び両縦枠２３と異なり、ブラインド式雨戸１９を吊支する枠本体３０と、この枠本体３０を外壁６に固定する固定部３１とを別体で有して構成されている。この枠本体３０は、開口部２の上側の外壁６に取り付けられた固定部３１に組付結合している。
【００１８】
この固定部３１は、横長のプレート状に形成され、張出部２５，１２５と同様に、外壁６に固着された弾性体２６表面に固定具２７により固定され、枠本体３０を保持固定する一対の保持部３２が長手方向に沿って上下に一体形成されている。
この各保持部３２は、縦断面Ｌ字状に形成され、枠本体３０側の表面に立設された基部３３と、この基部３３から９０度の角度に折曲された係止片３４とを有し、この両係止片３４が対向している。
【００１９】
また、上枠２１の枠本体３０は、横長のボックス状に形成されており、内部が三枚の仕切板に仕切られているとともに、下板に開口部３５が形成され、固定部３１側の端部には上下一対の縦断面正方形状の係合部３６が外側に向かって張出形成されている。
【００２０】
この両係合部３６の上下面間の距離Ｌ１は、保持部３２の基部３３の内周面間の距離よりも、やや短く設定されている一方、係止片３４の先端部間の距離Ｌ２よりも、やや小さく設定されている。
従って、両係合部３６は、保持部３２の基部３３間に嵌入すると同時に、係止片３４の先端部に係合している。これにより、上枠２１が固定部３１に強固に組付結合して固定される。
【００２１】
さらに、図に示すように、上枠２１の枠本体３０には、固定部３１と反対側の端部に、庇体３７が一体形成されている。
この庇体３７の建物１からの張出寸法は、ブラインド式雨戸１９のスラット３８の幅Ｗよりも大きく設定されているとともに、建物１の外壁６からスラット３８の最外側の先端までの張り出し寸法Ｗαよりも大きく設定されている。したがって、ブラインド式雨戸１９が開かれて、スラット３８が外方へ突出する状態となっても、ブラインド式雨戸１９に雨・雪・塵埃が直接降りかかることを阻止することが可能なようになっている。
【００２２】
そして、図に示すように、上枠２１の庇体３７においても、下枠２２と同様にブラインド式雨戸１９を取り付けるガイドレール１３９が形成されており、このガイドレール１３９には下面に向けて開口するガイド穴１４０が形成されている。また、これらガイドレール３９，１３９は、互いに対向する位置に設けられている。
前述のブラインド式雨戸１９は、これらガイドレール３９，１３９間に左右一対に配置され、これらガイドレール３９，１３９に沿って左右にスライド可能に取り付けられる。
【００２３】
なお、上枠２１では、外壁６からガイド穴１４０までの長さＤ１が、７０〜１５０ｍｍ程度となるように形成されている。
また、下枠２２においても、外壁６からガイド穴４０までの長さＤ２が、７０〜１５０ｍｍ程度となるように形成されている。
このように、上枠２１及び下枠２２のガイド穴の位置を外壁６から外側にある程度突出した位置に設けることで、ベランダや出窓等のように雨戸を外壁６からある程度突出した位置に設置する必要がある場合であっても、柔軟に対応することが可能となる。
【００２４】
図７は、そのブラインド式雨戸１９の正面図である。また、図８は、そのブラインド式雨戸１９の拡大斜視図である。なお、図７では、穴部１００を省略している。
図に示すように、ブラインド式雨戸１９は、短冊状に形成された複数のスラット３８と、この各スラット３８の上端部及び下端部を連結する伸縮自在のレージトング４１と、上側のレージトング４１を庇体３７のガイドレール３９内にガイド穴４０を介して転動自在に吊支するガイドローラ４２と、下側のレージトング４１を下枠２２のガイドレール３９内にガイド穴４０を介して移動可能に係合させるガイドピン４３とを有して構成されている。
【００２５】
スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されている。この凹溝４５には、細長状に形成されたシール部材４６（例えばゴム材など）が固着され、各スラット３８の係止縁４４同士が密着したときの水密性を向上させている。
【００２６】
また、レージトング４１は、形状の異なる二種類のリンク４７ａ，４７ｂを中央部で軸着してＸ字状に回動自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは、断面Ｌ字状に折曲形成されたプレートにより構成されている。このリンク４７ｂには、スラット３８の上下端部が挟持固定されている。
【００２７】
図９は、そのレージトング４１及びガイドローラ４２の部分を拡大した分解斜視図である。
図に示すように、ガイドローラ４２は、リンク４７ａ，４７ｂの一端部を連通する穴部に挿通されたロッド４８と、このロッド４８の上端部に回転自在に固定された板状の基部４９と、この基部４９の左右方向に回転自在に挿通されてガイドレール３９に両端部が支持された回転軸５０と、この回転軸５０に回転自在に挿通されて両端部に回転自在に軸支された一対のローラ部５１と、この各ローラ部５１の内周面のベアリング５２とを有して構成されている。
また、そのロッド４８の下端外周面には雄ねじが形成されている。このロッド４８の下端部は、一対のワッシャー５３を介してナット５４に螺合され、これによりリンク４７ａ，４７ｂの一端部に固定されている。
【００２８】
図１０は、そのブラインド式雨戸１９の横断面図である。
図に示すように、ブラインド式雨戸１９の端部には、鍵・錠などのロック機構を有する框部５５が取り付けられている。この左右両框部５５は、左右のブラインド式雨戸１９が閉じられたときには、互いに接触して、ロック機構により固定される。
図１１は、その框部５５の拡大図である。
図に示すように、両框部５５は、対向面に段差５５ａがオフセットに形成されており、ロック時には、この両框部５５の段差５５ａは互いに編み合うようになっている。
【００２９】
（ブラインド式雨戸の取付方法）
以下、前述のように構成されるブラインド式雨戸１９の取付方法について詳細に説明する。
まず、建物１の窓用の開口部２に、サッシ３および窓戸４を嵌め込んだ後に、上枠２１の固定部３１を開口部２の上側の外壁６に当てて固定具２７（例えばねじ・釘など）により貫通孔１７を介して外壁６に固定するとともに、固定部３１に上枠２１の枠本体３０を組み付ける。
【００３０】
具体的には、上枠２１の枠本体３０の両係合部３６を、固定部３１の保持部３２の基部３３間に嵌入するとともに、固定部３１の両係止片３４の先端部に係合させ、これにより上枠２１の枠本体３０が固定部３１に簡易に組付結合され、この点で上枠２１の取付作業の作業効率が向上する。
【００３１】
この結果、上枠２１の枠本体３０は、固定部３１の取付作業後に組み付けられ、これにより上枠２１が二段階の作業により外壁６に取り付けられる。したがって、庇体３７の張出寸法がスラット３８の幅寸法より大きくても、上枠２１の取付作業が庇体３７に邪魔されることがなく、上枠２１の固定部３１および枠本体３０を容易に取り付けることができ、これにより取付作業の作業性が向上する。
【００３２】
また、上枠２１の固定部３１および枠本体３０は、一人で容易に建物１の開口部２の上方まで持ち上げることができるため、この点でも取付の作業効率が向上する。この固定部３１に組付結合された枠本体３０の両係合部３６は、固定部３１の両係止片３４の先端部に係合しているため、取り外しが困難であり、防犯性も問題がない。
【００３３】
その後、両縦枠２３および下枠２２の張出部２５を外壁６に当てて、固定具２７（例えばねじ・釘など）により貫通孔１７を介して固定されて、雨戸用案内枠２０が開口部２の周囲の外壁６に取り付けられる。この張出部２５および上枠２１の固定部３１の取付面には、弾性体２６が固着されているため、建物１の外壁６に吹付や石などの凹凸があっても、弾性体２６が弾性変形し、隙間が生じることがなく、これにより雨水や塵埃などの浸入が防止され、シール性が向上する。
【００３４】
このように雨戸用案内枠２０を開口部２の周囲の外壁６に取り付けた後に、左右一対のブラインド式雨戸２０が嵌め込まれる。すなわち、各ブラインド式雨戸２０の外側部を縦枠２３の枠本体２４に固定するとともに、ガイドピン４３を下枠２２のガイドレール３９内にガイド穴４０を介して移動可能に係合し、その後、ガイドローラ４２のローラ部５１を、上枠２１のガイドレール３９内にガイド穴４０を介して転動可能に装着して、ブラインド式雨戸２０を吊支する。
【００３５】
このローラ部５１は、回転軸５０の外周面に摺接する内周面に、ベアリング５２を有しているため、回転軸５０の外周面に対する摩擦係数が小さく、左右方向にスムーズに移動でき、これにより重量の大きいスラット３８（例えば、図１中の高さＨが大きく設定されているスラット３８）を使用する場合であっても、ブラインド式雨戸２０の開け閉めが容易である。
【００３６】
そして、両ブラインド式雨戸２０は、レージトング４１が収縮するとＸ字状のリンク４７が内外方向で互いに近接し、各スラット３８が互いに重なるように並行して建物１の開口部２を開く一方、レージトング４１を伸長させるとＸ字状のリンクが４７一連方向で互いに近接し、各スラット３８の係止縁４４が互いに連係してほぼ一直線状になり、建物の開口部を閉じる。
【００３７】
このとき、リンク４７ａは、横断面円弧状に折曲形成されているため、幅方向の強度が強く、ブラインド式雨戸２０の重量が大きい場合（図１中のスラットの高さＨ及び横幅Ｗが大きく設定されている場合など）であっても、折り曲げられるおそれがなく、この点で耐重量性に優れる。
【００３８】
また、建物１の開口部２を閉じたときには、両ブラインド式雨戸１９の框部５５の段差５５ａが噛み合うため、所定のロック機構により両框部５５を固定した場合に、外部から細い棒などを用いて、両框部５５を抉じ開けられることが防止され、この点で防犯効果が向上する。
【００３９】
さらに、建物１の開口部２を閉じるときには、スラット３８のシール部材４６が隣接する他のスラット３８の係止縁４４に密着するため、各スラット３８のシール性が向上し、結露対策や雨水対策などに効果的である。
【００４０】
なお、本発明は、上記実施形態に限定されるものではなく、例えば上枠２１の枠本体３０に庇体３７が一体形成されていないタイプの雨戸用案内枠２０にも適用することができる。
【００４１】
この場合も、上枠２１の枠本体３０は、固定部３１の取付後に固定部３１に組み付けられるため、上枠２１が二段階の作業により外壁に取り付けられ、固定部３１の取り付けを枠本体３０により邪魔されることがなく、容易に取り付けることができる。
【００４２】
また、建物１の外壁６に接着剤などを用いて、固定部３１および張出部２５を固着するタイプの雨戸用案内枠２０にも適用することができる。
【００４３】
この場合は、ねじ・くぎなどを外されて、雨戸用案内枠２０が取外されることがなく、防犯効果が向上する。さらに、雨戸用案内枠２０とサッシ３とを一体形成したものにも適用することができる。
【００４４】
さらに、両框部５５の段差５５ａを廃止して、一方の框部５５の側端面に嵌合凹部を形成し、他方の框部５５の側端面に嵌合凸部を形成することもできる。この場合も、両ブラインド式雨戸１９を伸長して開口部２を閉じると、嵌合凹部と嵌合凸部とが嵌合し、両框部５５の抉じ開けが防止される。
【００４５】
以上説明したように、本実施の形態によれば、ブラインド式雨戸１９の表面には、多数の穴部１００が貫通して形成されているので、閉扉時には、十分な採光及び通気が可能となっている。
さらに、このブラインド式雨戸１９を閉扉すると、窓又は扉部分を強固な雨戸で隠蔽するので、建物内を外から見られるといったプライバシー面の問題を解決するとともに、建物への侵入といった防犯上の問題も解決できるようになっている。
例えば、このブラインド式雨戸１９が設置されているべランダに洗濯物を干す場合、この雨戸１９を閉扉すると、洗濯物を隠蔽し、盗難を防止できるとともに、前述の穴部１００から十分な採光及び通気も期待できるので、雨戸を開扉した状態とさほど変わりなく洗濯物を乾かすことが可能となる。
また、このブラインド式雨戸１９は、断熱性に優れ、暖房効果を高めるとともに、結露対策にも有効である。
【００４６】
また、上枠２１及び下枠２２のガイド穴の位置を外壁６から外側にある程度突出した位置に設けることで、外壁６からある程度突出したベランダや出窓等にもブラインド式雨戸１９を容易に設置することが可能となる。
【図面の簡単な説明】
【００４７】
【図１】本発明の一実施の形態におけるブラインド式雨戸の開扉時の縦断面図である。
【図２】本発明の一実施の形態における開扉時の横断面図である。
【図３】本発明の一実施の形態における雨戸用案内枠の表面側を示す図である。
【図４】本発明の一実施の形態における縦枠を側面側から見た断面図である。
【図５】本発明の一実施の形態における下枠を側面側から見た断面図である。
【図６】本発明の一実施の形態における上枠を側面側から見た断面図である。
【図７】本発明の一実施の形態におけるブラインド式雨戸の正面図である。
【図８】本発明の一実施の形態におけるブラインド式雨戸の拡大斜視図である。
【図９】本発明の一実施の形態におけるレージトング及びガイドローラの部分を拡大した分解斜視図である。
【図１０】本発明の一実施の形態におけるブラインド式雨戸の横断面図である。
【図１１】本発明の一実施の形態における框部の拡大図である。
【符号の説明】
【００４８】
１    建物
２    開口部
３    サッシ
４    窓戸
６    外壁
１９    ブラインド式雨戸
２０    雨戸用案内枠
２１    上枠
２２    下枠
２３    縦枠
２４，１２４    枠本体
２５，１２５    張出部
２６    弾性体
２７    固定具
２９    接着剤
３０    枠本体
３１    固定部
３２    保持部
３６    係合部
３７    庇体
３８    スラット
３９，１３９    ガイドレール
４０，１４０    ガイド穴
４１    レージトング
４２    ガイドローラ
４４    係止縁
４６    シール部材
４７ａ，４７ｂ    リンク
５０    回転軸
５１    ローラ部
５２    ベアリング
５５    框部
５５ａ    段差
【図１】
2007177417.tif 000003
【図２】
2007177417.tif 000004
【図３】
2007177417.tif 000005
【図４】
2007177417.tif 000006
【図５】
2007177417.tif 000007
【図６】
2007177417.tif 000008
【図７】
2007177417.tif 000009
【図８】
2007177417.tif 000010
【図９】
2007177417.tif 000011
【図１０】
2007177417.tif 000012
【図１１】
2007177417.tif 000013